(57)【要約】      （修正有）【課題】構造が簡単で、製造、組み立てが簡単且つスピーディーで、長さ、サイズの異なった排列状の放熱片を接合させることが可能で、連続パンチプレス金型による一貫成型作業をスピーディに行える。【解決手段】放熱片ユニット片１の上下両側にクランク型或いは逆クランク型の水平板１３、１３’があり、その水平板前部には、Ｕ型状板１３１、１３１’があり、同Ｕ型状板の両側の側面には二つの翼型片１４があり、その水平板の前部両側には二つの上向き或いは下向きの片がある。放熱片ユニットの両側の各接合構造部分の翼型片１４により、直接隣り合う他の放熱片ユニットの対応位置にある水平板上にはめ込む。その放熱片ユニットの各接合構造部分の一翼型片は全てその隣り合う他の放熱片ユニットの側面上にしっかりと固定されて、数個の放熱片ユニットが水平に決まる距離で連なり固定される。【選択図】図１
0003100902.tif 000002
【実用新案登録請求の範囲】
【請求項１】
一側面の縁に水平折り縁のあるＬ字型板、或いは両側の縁にそれぞれ水平折り縁のある横型Ｕ型板で、一個以上の接合構造が、その板部分の上下或いは左右の両側、或いは中間部分のある位置に設けられていて、
その接合構造は、
その板部分の縁に設けられたクランク型或いは逆クランク型の水平板部分と、各水平板の前部に設けられた傾いたＵ型或いはＵ型状の板と、その傾いたＵ型或いはＵ型状の板の両側或いは左右の一側面に設けられた一つ或いは二つの翼型片からなり、
並列接合する時、放熱片ユニットの上下両側の各接合構造の一つ或いは二つの翼型片が、直接隣り合うもう一つの放熱片ユニットの対応する位置のクランク型或いは逆クランク型の水平板部分にかみ合い、その放熱片ユニットの各接合構造にある一つ或いは二つの翼型片が、全て、隣り合うもう一つの放熱片ユニットの側面に固定されて、水平方向に決まった間隔で決まった位置に固定動作を行うことを特徴とする放熱片の接合構造。
【請求項２】
一側面の縁に水平折り縁のあるＬ字型板、或いは両側の縁にそれぞれ水平折り縁のある横型Ｕ型板で、一個以上の接合構造が、その板部分の上下或いは左右の両側、或いは中間部分のある位置に設けられていて、
その接合構造は、
その板部分の両側の縁に設けられたクランク型或いは逆クランク型の水平板部分と、各水平板の両側或いは左右の一側面に設けられた一つ或いは二つの切り込みと、各水平板前部の両側或いは左右の一側面に設けられた下向き或いは上向きの固定片からなり、
並列接合する時、放熱片ユニットの上下両側の各接合構造の一つ或いは二つの固定片が、直接隣り合うもう一つの放熱片ユニットの対応する位置の水平板部分にかみ合い、その放熱片ユニツトの各接合構造にある一つ或いは二つの固定片が、全て、隣り合うもう一つの放熱片ユニットの上下の水平板の一つ或いは両側の切り込みに固定されて、水平方向に決まった間隔で決まった位置に固定動作を行うことを特徴とする放熱片の接合構造。
【請求項３】
各翼型片の後ろ部分に、それぞれ下向き或いは上向きに、垂直固定縁が設けられていることを特徴とする請求項１に記載の放熱片の接合構造。
【請求項４】
各クランク型或いは逆クランク型の水平板部分の前部に、傾いたＵ型或いはＵ型状の板がなく、直接、各翼型片の後ろの下向き或いは上向きの垂直固定片が設けられていることを特徴とする請求項１に記載の放熱片の接合構造。
【請求項５】
その各接合構造が、クランク型或いは逆クランク型の水平板部分の前半部分の左或いは右に単片の翼型片が設けられていることを特徴とする請求項１、３或いは４に記載の放熱片の接合構造。
【請求項６】
内側に単片の翼型片を持つ水平板部分及びＬ型或いは横型Ｕ型板の水平折り縁の間が、切り込み溝になっていて、外側に単片の翼型片のある水平板及びＬ型或いは横型Ｕ型板の水平折り縁の間が、切断跡になっていることを特徴とする請求項５に記載の放熱片の接合構造。
【請求項７】
Ｌ字型板に縁に水平折り縁がなく、接合構造に近い位置に少なくとも一つのせまい水平折り縁があることを特徴とする請求項１或いは３に記載の放熱片の接合構造。
【請求項８】
各上のクランク型或いは下の逆クランク型の水平板部分の後半部分が、その上下水平折り縁に、先に、二本の切断跡或いは二本の切り込み溝或いは上下くぼみ板が設けられてから、上下の水平板部分が設けられることを特徴とする請求項２に記載の放熱片の接合構造。
【請求項９】
その接合構造の上の水平板部分が直接Ｌ字型板の縁に設けられることを特徴とする請求項２に記載の放熱片の接合構造。
【請求項１０】
そのＬ字型板或いは横型のＵ型板に多数の穴が設けられていることを特徴とする請求項１、２或いは６に記載の放熱片の接合構造。
【考案の詳細な説明】
【技術分野】
【０００１】
本考案は放熱片の接合構造に関する。本考案の放熱片接合構造は、連続パンチプレス金型による一貫作業でスピーディーな大量生産が可能である。したがって、生産コストが低く押さえられる。さらに、構造が簡単で、組み立てやすい。数個或いは多数ユニットが並列に連なり、連結した後、しっかりと組み合わさる。同時に、随意に異なった長さ、サイズのものを並列接合させることが可能な排列式の放熱片の接合構造である。
【背景技術】
【０００２】
本考案は、下記特許文献１〜３に記載の考案の改良案である。本考案者が、先に日本やドイツの特許庁から許可を受けた登録実用新案「放熱片の接合構造」は、すでに、構造が簡単で、製造、組み立てが簡単且つスピーディーで、接合した後はしっかりと組み合わさるという特長を持ち、長さ、サイズの異なった排列状の放熱片を接合させることが可能であるという特長を持つ。
【特許文献１】米国特許第１０／３５７，０３６号明細書
【特許文献２】日本国登録実用新案第３０９６００５号公報
【特許文献３】独国実用新案第２０３０１９８１．４号明細書
【考案の開示】
【考案が解決しようとする課題】
【０００３】
しかしながら、連続パンチプレス金型による一貫成型作業の際、やや遅いという欠点がある。したがって、本考案によって、その水平状板のフック部分の構造を改良するものである。
【０００４】
しかして、本考案は、構造が簡単で、製造、組み立てが簡単且つスピーディーで、接合した後はしっかりと組み合わさるという特長を持ち、同時に、長さ、サイズの異なった排列状の放熱片を接合させることが可能で、連続パンチプレス金型による一貫成型作業をスピーディに行える放熱片の接合構造を提供することを目的とする。
【課題を解決するための手段】
【０００５】
本考案の放熱片接合構造は、Ｌ字型、或いは横型Ｕ型板の放熱片ユニット板の上下、或いは左右両側、或いは中間のある位置の側面の縁に、クランク型、或いは逆クランク型の水平板があり、さらに、その水平板前部には、傾いたＵ型、或いはＵ型状の板があり、その傾いたＵ型或いはＵ型状の板の両側の側面或いはその一側面には、一つ或いは二つの翼型片があり、その水平板の前部両側或いは一側面には、一つ或いは二つの上向き或いは下向きの片がある。一つの放熱片ユニットの両側の各接合構造部分の翼型片或いは固定片によって、直接隣り合うもう一つの放熱片ユニットの対応する位置にある水平板上にはめ込むようになっている。さらに、その放熱ユニットの各接合構造部分の一つ或いは二つの翼型片或いは固定片は、全てその隣り合うもう一つの放熱片ユニツト板の側面上或いは板の側面の水平板の両側或いは一側面の切り込み口に、しっかりと固定されて、数個或いはさらに多くの放熱ユニットが水平に決まった距離で、連なって固定されて、連結動作を行うことができる。
【考案の効果】
【０００６】
本考案の放熱片の接合構造は、連続パンチプレス金型による一貫作業でスピーディーな大量生産が可能である。したがって、生産コストが低く押さえられる。さらに、構造が簡単で、組み立てやすい。数個或いは多数ユニットが並列に連なり、連結した後、しっかりと組み合わさる。同時に、随意に異なった長さ、サイズのものを並列接合させることが可能であるという特長を持つ。
【考案を実施するための最良の形態】
【０００７】
本考案の第１実施形態につき説明する。図１〜図３を参照すると、放熱片ユニット１は、アルミニウム或いは銅或いはそれに類似する金属の薄い板材料をパンチプレスによって成型している。それは、一側面の縁（上下或いは左右の側面の縁）に水平折り縁１５のある適度な大きさのＬ字型板１０か、複数の穴１６がパンチプレスされたＬ字型板１０である。或いは、両側の縁（上下、左右の側面の縁）にそれぞれ水平折り縁１５、１５’のある適度なサイズの横型板１０’か、複数の穴１６がパンチプレスされた横型板１０’である。その板１０或いは１０’の両側（上下或いは左右も可能）、或いは中間のある適度な位置に、それぞれ、少なくとも一個以上の接合構造１２がある。その両側に設けられた接合構造１２は、Ｌ字型板１０或いは横型Ｕ型板１０’の上下或いは左右の縁に、直接クランク型或いは逆クランク型の水平板１３、１３’を折り曲げた後、さらに、各水平板１３、１３’前部を先に傾いたＵ型或いはＵ型状の板１３１、１３１’に折り曲げてから、両側をそれぞれ外側に向かって突起片１４を折り曲げてある。
【０００８】
図６を参照すると、前述の接合構造１２は、連続パンチプレス方式による一貫成型作業が便利に行なえるように、原料が下りる際、図１に示す放熱片ユニット１は、図６に示す通りである。そのクランク型或いは逆クランク型の水平板１３、１３’の板部分１３０、１３０’及び二つの翼型片１４の板部分１４０は、共に大きなＴ型の平面板にプレスされる。さらに、その水平板１３’の板部分１３０’及びＬ字型板１０の下側（一側面）の縁の水平折り縁板１５０の間には、一緒にプレスされたその二つ或いは一つの翼型片の幅よりやや広い（少なくともやや緩めで組み合わせが利く）切り込み１７がある。そして、その板１３０、１３０’は、それぞれ、クランク型或いは逆クランク型に折り曲げられている。そして、傾いたＵ型或いはＵ型状の板１３０、１３０’及び二つの翼型片１４は、最後には、そのクランク型或いは逆クランク型に折り曲げられた板１３０、１３０’と、その水平折り縁板１５０が一緒に垂直に折り曲げられて、図１に示すような水平折り縁１５を形成し、全ての加工作業が完成する。図５に示した放熱片ユニット１’の一貫作業工程も同様であるため、特に詳述しない。
【０００９】
図４を参照すると、前述の実施形態にある放熱片ユニット１が並列接合する時、順序良く、放熱片ユニット1の両側の各接合構造１２の傾いたＵ型或いはＵ型状の板１３１、１３１’が、直接隣り合うもう一つの放熱片ユニット１の対応する位置の接合構造１２のクランク型或いは逆クランク型の水平板１３、１３’にかみ合い、その放熱片ユニット１の各翼型片１４が全て隣り合うもう一つの放熱片ユニット１のＬ字型板１０の側面の縁の上に決まった位置に、水平に同じ間隔で固定されれぱ、並列接合によって、数片或いは多数の放熱片ユニット１が並列につなぎ合わさった並列状の放熱片が完成し、錫或いは鋼、銀で放熱装置の底板に溶接して、放熱装置（図は省略）として使用することができる。放熱片ユニット１’の並列接合の連結動作は同様であるため、特に詳述しない。
【００１０】
放熱片ユニット１の接合構造１２にある翼型片１４が、もう一つの放熱片ユニツト１の接合構造１２のクランク型或いは逆クランク型の水平板１３、１３’にかみ合いやすくするため、上述の水平板１３’と水平折り縁１５の間に切り込み１７を入れる以外に、少なくともＬ字型板１０の水平折り縁１５’を設けていない上側（一側面）の縁に、接合構造１２に近い位置に、せまい水平折り縁１１（図１参照）を設け、Ｌ字型板１０の上側（一側面）の縁の並列接合連結動作の際の「位置を固定する」固定動作がしやすいようになっている（図４参照）。
【００１１】
さらに、図２及び図３を参照すると、前述の放熱片ユニット１が、順序よく、互いにかみ合い、並列接合して適度な長さの放熱片になった時、錫或いは鋼、銀によって、放熱板の底板に溶接されて固定される。したがって、その各接合構造１２の翼型片１４は、図２、図３に示す通りであり、左或いは右の位置に、単片の翼型片１４は同じ間隔、決まった位置に並列に接合するのに十分事足りる。外側に単片の翼型片１４を設ける場合、水平板１３或いは１３'の板部分１３０、１３０’とＬ字型板１０の一側面にある水平折り縁板１５０或いは１５０’の間に、同時に切断跡１８を入れ、切り込み１７を入れる必要はない。そして、内側に単片の翼型片１４を設ける場合、水平板１３’の板部分１３０’とＬ字型板１０の一側面にある水平折り縁板１５０あるいは１５０'の間に、切り込み１７を入れて、並列接合動作がしやすいようにしている。
【００１２】
図７、図８を参照すると、放熱片ユニット1の接合構造１２は、もう一つの放熱片ユニット１の接合構造１２にしっかりと固定して、並列接合して連結する「決まった位置に」固定する動作を行うために、各接合構造１２の二つの翼型片１４後ろに、それぞれ、下向き或いは上向きに、垂直固定縁１４１、１４１’が折り曲げられている（図７参照）。或いは、クランク型或いは逆クランク型の水平板１３、１３’の前部に、傾いたＵ型或いはＵ型状の板部分１３１、１３１’を折り曲げて、直接、二つの翼型片１４後ろ側に、それぞれ、下或いは上に垂直固定片１４２、１４２’（図８参照）を折り曲げる。ただし、二つの垂直固定片１４２、１４２’の幅は、そのクランク型或いは逆クランク型の水平板１３、１３’の幅に対応していて、並列接合動作がスムーズに行われるようにしなけれぱならない。
【００１３】
図９及び図１１を参照すると、その放熱片ユニット１ａは、同様に、アルミニウム或いは銅、或いはその他の類似する金属の薄い板材をプレスして製造する。それは、両側の縁（上下或いは左右の縁）に、水平折り縁１５、１５’のある、適度な大きさの横型Ｕ型板１０’ａか、多数の穴１６のあいた横型Ｕ型板１０’ａである。或いは、一側面の縁（上下或いは左右の縁）に水平折り縁１５’のある適度な大きさのＬ字型板１０ａ、或いは多数の穴１６のあいたＬ字型板１０ａである。その板１０ａ、１０’ａの両側（上下或いは左右共に可）或いは中間の適当な位置に、それぞれ、少なくとも一個以上の接合構造１２がある。その両側に設けられた接合構造１２はどれも、その横型Ｕ型板１０'ａ或いはＬ字型板１０ａの上下或いは左右に、直接クランク型或いは逆クランク型の水平板１３ａ、１３’ａが折り曲げられている。そして、各水平板１３ａ或いは１３'ａ両側或いは左右一方（図８を参照）に切り込み１７ａがプレスされている。前縁両側或いは左右の一方には、上向き、下向きの突起片１４ａがプレスされている。
【００１４】
図１０を参照すると、本考案の第２実施形態の放熱片ユニット１'ａが並列接合する時、順序よく、放熱片ユニット１'ａ両側の各接合構造１２ａの水平板１３ａ、１３'ａが、直接隣り合うもう一つの放熱片ユニット１'ａの対応する位置の接合構造１２ａの水平板１３ａ或いは１３'ａにかみ合い、その放熱片ユニット１’ａにある突起片１４ａが全て、隣り合うもう一つの放熱片ユニット１'ａの上下の水平板１３ａ、１３'ａ両側の切り込み１７ａに固定されさえすれば、水平方向に、決まった間隔で、決まった位置に固定されて、並列に接合する数個或いは多数の放熱片ユニット１'ａの並列接合排列の放熱片ユニットが完成し、錫或いは銅、銀によって、放熱装置の底板に溶接されて、放熱装置(図は略す)として使用できる。放熱片ユニット１ａの並列接合連結動作は、前述の放熱片ユニット１'ａと同様であるため、詳述しない。
【００１５】
本考案の第２実施形態の放熱片ユニット１'ａ（図９参照）は、上下の縁に、それぞれ水平折り縁１５、１５'を持つ横型Ｕ型板１０ａである。したがって、各接合構造１２ａの上下水平板１３、１３'の後半部分は、上下の水平折り縁１５、１５'によって、直接プレス成型することが可能である。そのプレス成型の方法は、図９、図１２を参照すれば、その水平折り縁１５、１５’に、先に二本の切断跡１８をプレスしてから、上下の水平板１３ａ、１３’ａをプレスする。或いは、その水平折り縁１５、１５’に、先に上向き、下向きの上下のくぼみ板１５１、１５１’をプレスしてから、上下の水平板１３、１３’をプレスする(図１２参照)。或いは、その水平折り縁１５、１５’に先に切り込み溝１７をプレスしてから、上下の水平板１３、１３’をプレスする（図１３参照）。また、本考案の第３実施形態の放熱片ユニット１ａ（図１１参照）は、下の縁に水平折り縁１５’を持つＬ字型板１０ａである。したがって、各接合構造１２ａの上下の水平板１３ａは、全てそのＬ字型板１０の上縁に、直接延長してプレス成型される。そして、その下の水平板１３'ａの後半部は、前述の下の水平折り縁１５’に先にプレスすることもできる。二本の切断跡１８、二本の切り込み溝１７或いは上向きの上下のくぼみ板１５１’をプレスした後、下の水平板１３’ａをプレスする。
【図面の簡単な説明】
【００１６】
【図１】本考案の第１実施形態の放熱片ユニツトの左側部分の立体図である(右側部分も同様であるため、図示は省略する。)。
【図２】本考案の第１実施形態の放熱片ユニットのもう一つの実施例の左側部分の立体図である(右側部分も同様であるため、図示は省路する。)。
【図３】本考案の第１実施形態の放熱片ユニットのもう一つの実施例の左側部分の立体図である(右側部分も同様であるため、図示は省路する。)。
【図４】図１の実施形態の放熱片ユニットを複数並列につなぎ合わせて連結動作させた時の左側部分の立体図である(右側部分も同様であるため、図示は省略する。)。
【図５】本考案の第１実施形態の放熱片ユニットのさらに別の実施例の左側部分の立体図である(右側部分も同様であるため、図示は省略する。)。
【図６】図１の実施形態の放熱片ユニットの材料が落下する時の平面展開図である。
【図７】本考案の第１実施形態の放熱片ユニットのさらにまた別の実施例の左側部分の立体図である(右側部分も同様であるため、図示は省賂する。)。
【図８】本考案の第１実施形態の放熱片ユニットのさらにまた別の実施例の左側部分の立体図である(右側部分も同様であるため、図示は省賂する。)。
【図９】本考案の第２実施形態の放熱片ユニットの左側部分の立体図である(右側部分も同様であるため、図示は省略する。)。
【図１０】図９に示した放熱片ユニットを複数並列につなぎ合わせて連結動作させた時の左側部分の立体図である(右側部分も同様であるため、図示は省略する。)。
【図１１】本考案の第２実施形態の放熱片ユニットのもう一つ別の実施例の左側部分の立体図である(右側部分も同様であるため、図示は省略する。)。
【図１２】本考案の第２実施形態の放熱片ユニットの別の実施例の左側部分の立体図である(右側部分も同様であるため、図示は省路する。)。
【図１３】本考案の第２実施形態の放熱片ユニットの別の実施例の左側部分の立体図である(右側部分も同様であるため、図示は省路する。)。
【図１４】本考案の第２実施形態の放熱片ユニットの別の実施例の左側部分の立体図である(右側部分も同様であるため、図示は省路する。)。
【符号の説明】
【００１７】
１、１'            放熱片ユニット
１ａ、１'ａ        放熱片ユニット
１０               Ｌ型板
１０'              横型Ｕ型板
１０ａ             Ｌ字型板
１０'ａ            横型Ｕ型板
１１               せまい水平折り縁
１２               接合構造
１２ａ             接合構造
１３ａ             クランク型水平板
１３               クランク型水平板
１３'              逆クランク型水平板
１３'ａ            逆クランク型水平板
１４               翼型片
１４ａ             突起片
１５、１５'        水平折り縁
１６               穴
１７               切り込み溝
１７ａ             切り込み
１８               切断跡
１４０             翼型片板部分
１４１、１４１'    垂直固定縁
１４２、１４２'    垂直固定片
１３０             クランク型水平板板部分
１３０'            逆クランク型水平板板部分
１５０、１５０’   水平折り縁板
１５１、１５１'    上下のくぼみ板
【図１】
0003100902.tif 000003
【図２】
0003100902.tif 000004
【図３】
0003100902.tif 000005
【図４】
0003100902.tif 000006
【図５】
0003100902.tif 000007
【図６】
0003100902.tif 000008
【図７】
0003100902.tif 000009
【図８】
0003100902.tif 000010
【図９】
0003100902.tif 000011
【図１０】
0003100902.tif 000012
【図１１】
0003100902.tif 000013
【図１２】
0003100902.tif 000014
【図１３】
0003100902.tif 000015
【図１４】
0003100902.tif 000016